(57)【要約】【課題】冷風と温風の混合性能を確保しつつ、空調ケースの小型化を図る。【解決手段】冷風と温風との風量割合を調節するエアミックスドア２０の下流側に、冷風と温風が車両前方から車両後方に向かって流れる合流部通路３７ａ、３７ｂを形成し、この合流部通路３７ａ、３７ｂに、空気流れに対して略直交して合流部通路３７ａ、３７ｂの一部を塞ぐガイド板４２ａ、４２ｂを設ける。合流部通路３７ａ、３７ｂにおける上側の通路は、車両左右方向のうち一方側がガイド板４２ａ、４２ｂにより塞がれ、合流部通路３７ａ、３７ｂにおける下側の通路は、車両左右方向のうち他方側がガイド板４２ａ、４２ｂにより塞がれる。【選択図】図２
2008006860.tif 000002
【特許請求の範囲】
【請求項１】
車室内に配置される空調ケース（１１）と、
前記空調ケース（１１）内に配置され、空気を加熱する暖房用熱交換器（１３）と、
前記暖房用熱交換器（１３）の下側に形成され、前記暖房用熱交換器（１３）をバイパスして冷風が流れる冷風バイパス通路（１８）と、
前記冷風バイパス通路（１８）を通過する冷風と前記暖房用熱交換器（１３）を通過する温風との風量割合を調節するエアミックスドア（２０）と、
このエアミックスドア（２０）の下流側に形成され、冷風と温風が車両前方から車両後方に向かって流れる合流部通路（３７）と、
この合流部通路（３７）に配置され、空気流れに対して略直交して前記合流部通路（３７）の一部を塞ぐガイド板（４２）を備え、
前記合流部通路（３７）における上側の通路は、車両左右方向のうち一方側が前記ガイド板（４２）により塞がれ、前記合流部通路（３７）における下側の通路は、車両左右方向のうち他方側が前記ガイド板（４２）により塞がれていることを特徴とする車両用空調装置。
【請求項２】
車室内前席側に配置される空調ケース（１１）内に、空気を加熱する暖房用熱交換器（１３）を備え、
前記空調ケース（１１）において前記暖房用熱交換器（１３）の空気流れ下流側に前席用吹出開口部（２８、３１、３４）及び後席用吹出開口部（３８、３９）を配置し、
前記前席用吹出開口部（２８、３１、３４）を通して車室内の前席側領域に空気を吹出すとともに、
前記後席用吹出開口部（３８、３９）を通して車室内の後席側領域に空気を吹出す車両用空調装置において、
前記暖房用熱交換器（１３）の下側に形成され、前記暖房用熱交換器（１３）をバイパスして冷風が流れる後席用冷風バイパス通路（１８）と、
前記後席用冷風バイパス通路（１８）を通過して前記後席用吹出開口部（３８、３９）に導かれる冷風と前記暖房用熱交換器（１３）を通過して前記後席用吹出開口部（３８、３９）に導かれる温風との風量割合を調節するエアミックスドア（２０）と、
このエアミックスドア（２０）の下流側に形成され、冷風と温風が車両前方から車両後方に向かって流れる合流部通路（３７）と、
この合流部通路（３７）に配置され、空気流れに対して略直交して前記合流部通路（３７）の一部を塞ぐガイド板（４２）を備え、
前記合流部通路（３７）における上側の通路は、車両左右方向のうち一方側が前記ガイド板（４２）により塞がれ、前記合流部通路（３７）における下側の通路は、車両左右方向のうち他方側が前記ガイド板（４２）により塞がれていることを特徴とする車両用空調装置。
【請求項３】
前記ガイド板（４２）は、車両左右方向の寸法が、上下方向の一方から他方に向かって変化していることを特徴とする請求項１または２に記載の車両用空調装置。
【請求項４】
前記エアミックスドア（２０）は片持ちドアであり、
前記ガイド板（４２）は、前記エアミックスドア（２０）の先端の回動軌跡に沿った円弧状になっていることを特徴とする請求項１ないし３のいずれか１つに記載の車両用空調装置。
【請求項５】
前記合流部通路（３７）は、空気流れに対して直交する断面の形状が矩形であり、
前記ガイド板（４２）は、前記合流部通路（３７）の矩形断面の対角を結ぶ１枚の板で構成されていることを特徴とする請求項１ないし４のいずれか１つに記載の車両用空調装置。
【発明の詳細な説明】
【技術分野】
【０００１】
本発明は、車室内の空調を行う車両用空調装置にに関する。
【背景技術】
【０００２】
前席用空調ユニットを利用して車室内の後席側へも空調風を吹き出す従来の車両用空調装置は、空調ケース内に暖房用熱交換器をなすヒータコアを配置するとともに、この空調ケース内部においてヒータコアの下側に後席用冷風バイパス通路を形成している。また、後席用冷風バイパス通路を通過する冷風とヒータコアを通過する温風との風量割合を後席用エアミックスドアにより調整して、後席側へ吹き出す空気の温度を制御している。
【０００３】
上記のように、ヒータコアの下側に後席用冷風バイパス通路を形成しているため、後席用エアミックスドア近傍では温風が冷風の上側を流れる。そこで、後席用エアミックスドアの下流側において冷風と温風が合流する合流部通路に、冷風と温風を車両左右方向に並ぶように方向転換するための三次元形状のガイド手段を設けて、冷風と温風の混合性を向上させるようにしている（例えば、特許文献１参照）。
【特許文献１】特開２００４−２３０９９５号公報
【発明の開示】
【発明が解決しようとする課題】
【０００４】
しかしながら、特許文献１に記載の車両用空調装置におけるガイド手段は三次元形状であるため、ガイド手段を設置するスペースが車両前後方向に大きくなり、空調ケースの体格が大きくなってしまうという問題があった。
【０００５】
本発明は上記点に鑑みて、冷風と温風の混合性能を確保しつつ、空調ケースの小型化を図ることを目的とする。
【課題を解決するための手段】
【０００６】
本発明の第１の特徴では、冷風と温風との風量割合を調節するエアミックスドア（２０）の下流側に形成され、冷風と温風が車両前方から車両後方に向かって流れる合流部通路（３７）と、この合流部通路（３７）に配置され、空気流れに対して略直交して合流部通路（３７）の一部を塞ぐガイド板（４２）を備え、合流部通路（３７）における上側の通路は、車両左右方向のうち一方側がガイド板（４２）により塞がれ、合流部通路（３７）における下側の通路は、車両左右方向のうち他方側がガイド板（４２）により塞がれている。
【０００７】
このような構成では、合流部通路（３７）における上側の通路を通る温風は、ガイド板（４２）により流れの向きが変えられて、上側の通路のうちガイド板（４２）により塞がれていない上側通路の開口部と、下側の通路のうちガイド板（４２）により塞がれていない下側通路の開口部とに、導かれる。同様に、合流部通路（３７）における下側の通路を通る冷風は、ガイド板（４２）により流れの向きが変えられて、上側通路の開口部と下側通路の開口部とに導かれる。すなわち、冷風と温風はガイド板（４２）により流れの向きが変えられて混合される。
【０００８】
一方、ガイド板（４２）の後流部（すなわち、空気流れ向きにおいてガイド板の背面部）の圧力が低くなるため、ガイド板（４２）通過後の冷風と温風の一部がガイド板（４２）の後流部に導かれて混合され、その後冷温風の主流にその混合風が多方向から合流する。
【０００９】
したがって、冷風と温風は、ガイド板（４２）により流れの向きが変えられて混合されることと、ガイド板（４２）の後流部で混合された後に冷温風の主流に合流して混合されることとが相俟って、良好に混合される。
【００１０】
また、ガイド板（４２）は、空気流れに対して略直交する板であるため、その設置ペースを小さくすることができ、空調ケース（１１）の小型化を図ることができる。
【００１１】
また、ガイド板（４２）の車両左右方向の寸法を、上下方向の一方から他方に向かって変化させることができる。
【００１２】
このようにすれば、エアミックスドア開度またはその後流に配設されるモードドア開度に対する冷風と温風の風量割合調節が可能となり、温度勾配のリニア性を変更することができる。
【００１３】
また、エアミックスドア（２０）を片持ちドアとし、ガイド板（４２）を、エアミックスドア（２０）の先端の回動軌跡に沿った円弧状にすることができる。
【００１４】
このようにすれば、ガイド板（４２）の設置ペースをさらに小さくすることができ、空調ケース（１１）の一層の小型化を図ることができる。
【００１５】
また、合流部通路（３７）の空気流れに対して直交する断面の形状を矩形とし、ガイド板（４２）を、合流部通路（３７）の矩形断面の対角を結ぶ１枚の板で構成することができる。
【００１６】
このようにすれば、ガイド板（４２）は補強リブとして機能するため、空調ケース（１１）の剛性を上げることができる。
【００１７】
本発明の第２の特徴では、前席用吹出開口部（２８、３１、３４）を通して車室内の前席側領域に空気を吹出すとともに、後席用吹出開口部（３８、３９）を通して車室内の後席側領域に空気を吹出す車両用空調装置において、後席用吹出開口部（３８、３９）に導かれる冷風と温風との風量割合を調節するエアミックスドア（２０）の下流側に形成され、冷風と温風が車両前方から車両後方に向かって流れる合流部通路（３７）と、この合流部通路（３７）に配置され、空気流れに対して略直交して合流部通路（３７）の一部を塞ぐガイド板（４２）を備え、合流部通路（３７）における上側の通路は、車両左右方向のうち一方側がガイド板（４２）により塞がれ、合流部通路（３７）における下側の通路は、車両左右方向のうち他方側がガイド板（４２）により塞がれている。
【００１８】
このような構成では、本発明の第１の特徴と同様に、冷風と温風は良好に混合されるとともに、空調ケース（１１）の小型化を図ることができる。特に、前席用空調ユニットを利用して後席側の吹出し温度調整を行う車両用空調装置のように、後席用の冷風と温風を混合させるスペースを確保しにくい空調装置に好適である。
【００１９】
この場合においても、ガイド板（４２）の車両左右方向の寸法を、上下方向の一方から他方に向かって変化させることができる。
【００２０】
このようにすれば、エアミックスドア開度またはその後流に配設されるモードドア開度に対する冷風と温風の風量割合調節が可能となり、温度勾配のリニア性を変更することができる。
【００２１】
また、この場合においても、エアミックスドア（２０）を片持ちドアとし、ガイド板（４２）を、エアミックスドア（２０）の先端の回動軌跡に沿った円弧状にすることができる。
【００２２】
このようにすれば、ガイド板（４２）の設置ペースをさらに小さくすることができ、空調ケース（１１）の一層の小型化を図ることができる。
【００２３】
また、この場合においても、合流部通路（３７）の空気流れに対して直交する断面の形状を矩形とし、ガイド板（４２）を、合流部通路（３７）の矩形断面の対角を結ぶ１枚の板で構成することができる。
【００２４】
このようにすれば、ガイド板（４２）は補強リブとして機能するため、空調ケース（１１）の剛性を上げることができる。
【００２５】
なお、特許請求の範囲およびこの欄で記載した各手段の括弧内の符号は、後述する実施形態に記載の具体的手段との対応関係を示すものである。
【発明を実施するための最良の形態】
【００２６】
（第１実施形態）
本発明の第１実施形態について説明する。図１は第１実施形態に係る車両用空調装置における空調本体ユニットを示す模式的な断面図、図２は図１の後席用エアミックスドア付近の概略構成を示す斜視図である。
【００２７】
本実施形態の車両用空調装置の前席用空調ユニット部は、大別して、図１に示す空調本体ユニット１０と、この空調本体ユニット１０に空気を送風する送風機ユニット（図示せず）との２つの部分に分かれている。
【００２８】
送風機ユニットは車室内前部の計器盤（図示せず）内側のうち、中央部から助手席側へオフセットして配置されており、これに対し、空調本体ユニット１０は車室内前部の計器盤（図示せず）内側のうち、車両左右（幅）方向の略中央部に配置されている。空調本体ユニット１０は、計器盤内側にて、車両の前後、上下および左右方向に対して、図１、図２の矢印で示す搭載方向で配置されている。
【００２９】
送風機ユニットは周知のごとく外気（車室外空気）と内気（車室内空気）を切替導入する内外気切替箱と、この内外気切替箱を通して吸入した空気を送風する遠心式の送風機とを有している。
【００３０】
空調本体ユニット１０は車室内へ向かって送風される空気の通路を構成する樹脂製の空調ケース１１を有し、この空調ケース１１内に冷房用熱交換器をなす蒸発器１２と暖房用熱交換器をなすヒータコア１３を両方とも一体的に内蔵している。空調ケース１１内の、最も車両前方側の部位には空気入口空間１４が形成されている。この空気入口空間１４には送風機ユニットの遠心式送風機の送風空気が流入する。
【００３１】
空調ケース１１内において空気入口空間１４直後の部位に蒸発器１２が略垂直に配置されている。この蒸発器１２は周知のごとく冷凍サイクルの低圧冷媒の蒸発潜熱を送風空気から吸熱して送風空気を冷却するものである。そして、蒸発器１２の空気流れ下流側（車両後方側）に、所定の間隔を開けてヒータコア１３が略垂直に配置されている。
【００３２】
ヒータコア１３は、蒸発器１２を通過した冷風を再加熱するものであって、その内部に、図示しない車両エンジンから高温の温水（エンジン冷却水）が流れ、この温水を熱源として空気を加熱するものである。
【００３３】
ヒータコア１３の空気入口側には、ヒータコア１３に流入する空気の量を調整する片持ち式の前席用温風量調整ドア１５が配置されている。前席用温風量調整ドア１５は、ドア操作機構（図示せず）により正逆両方向に回転駆動されるようになっている。
【００３４】
空調ケース１１内の空気通路において、ヒータコア１３の上方部位には、ヒータコア１３をバイパスして空気（冷風）が流れる前席用冷風バイパス通路１６が形成されている。
【００３５】
前席用冷風バイパス通路１６には、前席用冷風バイパス通路１６を流れる空気の量を調整するバタフライ式の前席用冷風量調整ドア１７が配置されている。前席用冷風量調整ドア１７は、ドア操作機構（図示せず）により正逆両方向に回転駆動されるようになっている。
【００３６】
前席用温風量調整ドア１５と前席用冷風量調整ドア１７は、ヒータコア１３で加熱された温風と前席用冷風バイパス通路１６を通過する冷風との風量割合を任意に調整して車室内前席側へ吹き出す空気の温度を調整する前席側温度調整手段を構成している。
【００３７】
空調ケース１１内の空気通路において、ヒータコア１３の下方部位には、ヒータコア１３をバイパスして空気（冷風）が流れる後席用冷風バイパス通路１８が形成されている。
【００３８】
また、空調ケース１１内の空気通路において、ヒータコア１３の空気出口側における下方部位には、ヒータコア１３を通過した空気（温風）の一部が流れる後席用温風流入口１９が形成されている。
【００３９】
後席用冷風バイパス通路１８内において後席用温風流入口１９が形成された部位には、ヒータコア１３で加熱されて後席用温風流入口１９から流入する温風と後席用冷風バイパス通路１８を通過する冷風との風量割合を任意に調整して車室内後席側へ吹き出す空気の温度を調整する後席側温度調整手段としての後席用エアミックスドア２０が配置されている。後席用エアミックスドア２０は、片持ち式のドアであり、ドア操作機構（図示せず）により正逆両方向に回転駆動されるようになっている。
【００４０】
空調ケース１１内部において、ヒータコア１３の空気流れ下流側（車両後方側）の部位には、ヒータコア１３の直後から上方に向かう前席用温風通路２６が形成されている。前席用温風通路２６の下流側（上方側）はヒータコア１３の上方部において前席用冷風バイパス通路１６の下流側と合流し、冷風と温風の混合を行う前席用空気混合部２７を形成している。
【００４１】
そして、空調ケース１１の上面部において前席用空気混合部２７の上方部位にデフロスタ開口部２８が開口している。このデフロスタ開口部２８にはデフロスタダクト２９が接続され、このデフロスタダクト２９の先端部にデフロスタ吹出口２９ａが設けられ、このデフロスタ吹出口２９ａから車両前面窓ガラスの内面に向けて空調風を吹き出すようになっている。デフロスタ開口部２８は、デフロスタドア３０により開閉される。デフロスタドア３０は、片持ち式のドアであり、ドア操作機構（図示せず）により正逆両方向に回転駆動されるようになっている。
【００４２】
空調ケース１１の上面部において、デフロスタ開口部２８よりも車両後方側（乗員寄り）の部位に前席用フェイス開口部３１が設けられている。この前席用フェイス開口部３１には前席用フェイスダクト３２が接続され、前席用フェイスダクト３２の先端部に前席用フェイス吹出口３２ａが設けられている。この前席用フェイス吹出口３２ａは計器盤上方側に配置され、前席乗員の上半身側に向けて空調風を吹き出すようになっている。前席用フェイス開口部３１は、前席用フェイスドア３３により開閉される。前席用フェイスドア３３は、片持ち式のドアであり、ドア操作機構（図示せず）により正逆両方向に回転駆動されるようになっている。
【００４３】
空調ケース１１内部において、前席用フェイス開口部３１の下方側に前席用フット開口部３４および前席用フット吹出口３５ａが設けられており、この前席用フット吹出口３５ａから前席乗員の足元部に向けて空調風を吹き出すようになっている。前席用フット開口部３４は前席用フットドア３６により開閉される。前席用フットドア３６は、片持ち式のドアであり、ドア操作機構（図示せず）により正逆両方向に回転駆動されるようになっている。
【００４４】
なお、デフロスタ開口部２８、前席用フェイス開口部３１、および前席用フット開口部３４は、本発明の前席用吹出開口部を構成する。
【００４５】
空調ケース１１内部において、後席用エアミックスドア２０が配置された部位の空気流れ下流側（車両後方側）の部位には、冷風と温風が車両前方から車両後方に向かって流れながら合流する合流部通路３７が形成されている。
【００４６】
合流部通路３７の空気流れ下流側（車両後方側）の部位には、後席用吹出開口部３８、３９が車両上下方向に並べて隣接配置されている。この後席用吹出開口部は、具体的には、後席用フェイス開口部３８と後席用フット開口部３９であり、後席用フット開口部３９は後席用フェイス開口部３８の上側に位置している。
【００４７】
後席用フェイス開口部３８は、後席用フェイスドア４０により開閉される。後席用フェイスドア４０は、バタフライ式のドアであり、ドア操作機構（図示せず）により正逆両方向に回転駆動されるようになっている。
【００４８】
後席用フット開口部３９は、後席用フットドア４１により開閉される。後席用フットドア４１は、バタフライ式のドアであり、ドア操作機構（図示せず）により正逆両方向に回転駆動されるようになっている。
【００４９】
合流部通路３７において、後席用エアミックスドア２０と後席用フェイスドア４０および後席用フットドア４１との間には、合流部通路３７での空気流れに対して略直交して合流部通路３７の一部を塞ぐガイド板４２が配置されている。このガイド板４２は、空調ケース１１に一体に形成され、合流部通路３７内において後席用エアミックスドア２０に近接して配置されている。また、ガイド板４２は、空気流れに対して直交し且つ水平な方向に見たときに、後席用エアミックスドア２０の先端の回動軌跡に沿った円弧状になっている。さらに、ガイド板４２は、空気流れ方向に見たときには、矩形状になっている。
【００５０】
なお、本実施形態では、図２に示すように空調ケース１１内部の車両左右方向の中央部に仕切り板４３を配置して、空調ケース１１の内部通路を車両左右方向の右側通路と左側通路とに仕切っている。そのため、合流部通路３７はこの空調ケース１１内部の右側通路と左側通路とに対応して左右に分割して設けてあり、後席用エアミックスドア２０も左右に分割して配置されている。また、後席用フェイス開口部３８および後席用フット開口部３９も左右に分割して配置されており、後席用フェイスドア４０および後席用フットドア４１も左右に分割して配置されている。
【００５１】
合流部通路３７のうち右側の合流部通路３７ａ内に設けたガイド板４２と、合流部通路３７のうち左側の合流部通路３７ｂ内に設けたガイド板４２とは、配置や大きさ等の構成は同一であるため、以下、右側の合流部通路３７ａ内のガイド板４２についてのみ説明する。
【００５２】
右側の合流部通路３７ａは空気流れに対して直交する断面の形状が矩形であり、右側の合流部通路３７ａ内には、２つのガイド板４２が対角位置に配置されている。具体的には、右側の合流部通路３７ａにおける上側の通路部に配置された上側ガイド板４２ａは、上側の通路部内の右側に位置して、上側の通路部内の右側部分を塞いでいる。また、右側の合流部通路３７ａにおける下側の通路部に配置された下側ガイド板４２ｂは、下側の通路部内の左側に位置して、下側の通路部内の左側部分を塞いでいる。
【００５３】
右側の合流部通路３７ａおよび左側の合流部通路３７ｂにおいて、ガイド板４２にて塞がれていない部位の合計通路面積は、後席用フェイス開口部３８および後席用フット開口部３９の合計通路面積以上に設定されている。これにより、ガイド板４２を設けたことによる通風抵抗の上昇を回避している。
【００５４】
後席用フェイス開口部３８の周縁部に後席用フェイスダクト４４の上流端が嵌合接続されている。同様に、後席用フット開口部３９の周縁部に後席用フットダクト４５の上流端が嵌合接続されている。後席用フェイスダクト４４および後席用フットダクト４５の下流端は車室内の後席側領域に配置されている。そして、後席用フェイスダクト４４の下流端には、後席乗員の上半身側に向けて空調風を吹き出す後席用フェイス吹出口４４ａが設けてある。また、後席用フットダクト４５の下流端には、後席乗員の足元に向けて空調風を吹き出す後席用フット吹出口４５ａが設けてある。
【００５５】
本実施形態では、前述したように空調ケース１１内部の空気通路を仕切り板４３により車両左右方向の右側通路と左側通路とに仕切っているので、この右側通路と左側通路とに対応して、前席用温風量調整ドア１５や前席用冷風量調整ドア１７等も左右に分割して設けてある。そして、左右の前席用温風量調整ドア１５、左右の前席用冷風量調整ドア１７、および左右の後席用エアミックスドア２０にそれぞれ独立の操作機構を設けて、車室内前席側および後席側の左右への吹出空気温度をそれぞれ独立に制御可能としている。
【００５６】
次に、後席側のバイレベルモードにおける冷温風の混合作用について説明する。
【００５７】
後席側のバイレベルモード時には、後席用フェイス開口部３８および後席用フット開口部３９の双方を後席用フェイスドア４０および後席用フットドア４１により開口する。バイレベルモードは、通常、春秋の中間温度期に使用されるので、後席用エアミックスドア２０は、図１に破線で示す最大暖房位置（すなわち、後席用冷風バイパス通路１８を全閉し、後席用温風流入口１９を全開にする位置）と実線で示す最大冷房位置（すなわち、後席用冷風バイパス通路１８を全開し、後席用温風流入口１９を全閉にする位置）との中間位置に操作される。
【００５８】
これにより、蒸発器１２により冷却された冷風が後席用冷風バイパス通路１８を通って合流部通路３７に流入するとともに、ヒータコア１３により加熱された温風が後席用温風流入口１９を通って合流部通路３７に流入する。
【００５９】
図２はバイレベルモード時の風の流れを示すもので、白抜き矢印は冷風の流れ、黒塗り矢印は温風の流れ、斜線を付した矢印は冷風と温風が混合された混合風の流れを示している。
【００６０】
図２に示すように、右側の合流部通路３７ａにおける上側の通路を通る温風は、一部は上側ガイド板４２ａにより塞がれていない上側通路の開口部（上側ガイド板４２ａの左側）を通過し、残りは上側ガイド板４２ａに衝突する。
【００６１】
上側ガイド板４２ａに衝突した温風は、上側ガイド板４２ａにより流れの向きが変えられて、上側の通路のうち上側ガイド板４２ａにより塞がれていない上側通路の開口部と、下側の通路のうち下側ガイド板４２ｂにより塞がれていない下側通路の開口部（下側ガイド板４２ｂの右側）とに、導かれる。
【００６２】
同様に、右側の合流部通路３７ａにおける下側の通路を通る冷風は、一部は下側ガイド板４２ｂにより塞がれていない下側通路の開口部を通過し、残りは下側ガイド板４２ｂに衝突する。
【００６３】
下側ガイド板４２ｂに衝突した冷風は、下側ガイド板４２ｂにより流れの向きが変えられて、下側の通路のうち下側ガイド板４２ｂにより塞がれていない下側通路の開口部と、上側の通路のうち上側ガイド板４２ａにより塞がれていない上側通路の開口部とに、導かれる。
【００６４】
すなわち、冷風と温風は上側ガイド板４２ａおよび下側ガイド板４２ｂにより流れの向きが変えられて混合される。
【００６５】
一方、上側ガイド板４２ａおよび下側ガイド板４２ｂの後流部（すなわち、空気流れに向きおいて上側ガイド板４２ａおよび下側ガイド板４２ｂの背面部）の圧力が低くなるため、上側ガイド板４２ａおよび下側ガイド板４２ｂを通過後の冷風と温風の一部が上側ガイド板４２ａおよび下側ガイド板４２ｂの後流部に導かれて混合され、その後冷温風の主流にその混合風が多方向から合流する。
【００６６】
したがって、冷風と温風は、上側ガイド板４２ａおよび下側ガイド板４２ｂにより流れの向きが変えられて混合されることと、上側ガイド板４２ａおよび下側ガイド板４２ｂの後流部で混合された後に冷温風の主流に合流して混合されることとが相俟って、良好に混合される。
【００６７】
また、上側ガイド板４２ａおよび下側ガイド板４２ｂは、空気流れに対して略直交する板であるため、その設置ペースを小さくすることができ、空調ケース１１の小型化を図ることができる。
【００６８】
（第２実施形態）
本発明の第２実施形態について説明する。図３は第２実施形態に係る車両用空調装置における後席用エアミックスドア付近の概略構成を示す斜視図である。
【００６９】
本実施形態は、第１実施形態に対してガイド板４２の構成が異なっている。第１実施形態と同一もしくは均等部分には同一の符号を付し、その説明を省略する。
【００７０】
図３に示すように、上側ガイド板４２ａおよび下側ガイド板４２ｂは、各合流部通路３７ａ、３７ｂの車両左右方向中央部寄りに位置する辺が、鉛直線に対して傾斜している。換言すると、上側ガイド板４２ａおよび下側ガイド板４２ｂは、車両左右方向の寸法が、上下方向の一方から他方に向かって変化している。
【００７１】
これによると、後席用エアミックスドア２０の開度または後席用フェイスドア４０や後席用フットドア４１の開度に対する冷風と温風の風量割合調節が可能となり、温度勾配のリニア性を変更することができる。
【００７２】
（第３実施形態）
本発明の第３実施形態について説明する。図４は第３実施形態に係る車両用空調装置における後席用エアミックスドア付近の概略構成を示す斜視図である。
【００７３】
本実施形態は、第１実施形態に対してガイド板４２の構成が異なっている。第１実施形態と同一もしくは均等部分には同一の符号を付し、その説明を省略する。
【００７４】
図４に示すように、右側の合流部通路３７ａには、右側の合流部通路３７ａの矩形断面の対角を結ぶ１枚のガイド板４２が配置されている。また、左側の合流部通路３７ｂにも、左側の合流部通路３７ｂの矩形断面の対角を結ぶ１枚のガイド板４２が配置されている。
【００７５】
これによると、右側の合流部通路３７ａにおける上側の通路を通る温風は、一部はガイド板４２により塞がれていない上側通路の開口部（ガイド板４２の右側）を通過し、残りはガイド板４２に衝突する。
【００７６】
ガイド板４２に衝突した温風は、ガイド板４２により流れの向きが変えられて、上側の通路のうちガイド板４２により塞がれていない上側通路の開口部と、下側の通路のうちガイド板４２により塞がれていない下側通路の開口部（ガイド板４２の左側）とに、導かれる。
【００７７】
同様に、右側の合流部通路３７ａにおける下側の通路を通る冷風は、一部はガイド板４２により塞がれていない下側通路の開口部を通過し、残りはガイド板４２に衝突する。
【００７８】
ガイド板４２に衝突した冷風は、ガイド板４２により流れの向きが変えられて、下側の通路のうちガイド板４２により塞がれていない下側通路の開口部と、上側の通路のうちガイド板４２により塞がれていない上側通路の開口部とに、導かれる。
【００７９】
すなわち、冷風と温風はガイド板４２により流れの向きが変えられて混合される。
【００８０】
一方、ガイド板４２の後流部の圧力が低くなるため、ガイド板４２を通過後の冷風と温風の一部がガイド板４２の後流部に導かれて混合され、その後冷温風の主流にその混合風が多方向から合流する。
【００８１】
したがって、冷風と温風は、ガイド板４２により流れの向きが変えられて混合されることと、ガイド板４２の後流部で混合された後に冷温風の主流に合流して混合されることとが相俟って、良好に混合される。
【００８２】
なお、左側の合流部通路３７ｂにおいても、同様にして冷風と温風が良好に混合される。
【００８３】
本実施形態によると、ガイド板４２は、空気流れに対して略直交する板であるため、その設置ペースを小さくすることができ、空調ケース１１の小型化を図ることができる。
【００８４】
また、ガイド板４２は補強リブとして機能するため、空調ケース１１の剛性を上げることができる。
【００８５】
（他の実施形態）
上記各実施形態では、後席用エアミックスドア２０として片持ち式のドアを示したが、後席用エアミックスドア２０としてフィルムドアやロータリドアを用いた空調装置にも、本発明は適用することができる。この場合、フィルムドアやロータリドア式の後席用エアミックスドアの下流側に近接してガイド板４２を配置することにより、上記各実施形態と同様の効果を得ることができる。
【００８６】
また、上記各実施形態では、後席へ吹き出す空調風の冷風と温風の混合性を向上するためにガイド板４２を用いたが、前席へ吹き出す空調風の冷風と温風の混合性を向上するためにガイド板４２を用いてもよい。
【図面の簡単な説明】
【００８７】
【図１】本発明の第１実施形態に係る車両用空調装置における空調本体ユニットを示す模式的な断面図である。
【図２】図１の後席用エアミックスドア付近の概略構成を示す斜視図である。
【図３】本発明の第２実施形態に係る車両用空調装置における後席用エアミックスドア付近の概略構成を示す斜視図である。
【図４】本発明の第３実施形態に係る車両用空調装置における後席用エアミックスドア付近の概略構成を示す斜視図である。
【符号の説明】
【００８８】
１１…空調ケース、１３…ヒータコア（暖房用熱交換器）、
１８…冷風バイパス通路、２０…エアミックスドア、３７…合流部通路、
４２…ガイド板。
【図１】
2008006860.tif 000003
【図２】
2008006860.tif 000004
【図３】
2008006860.tif 000005
【図４】
2008006860.tif 000006